(57)【特許請求の範囲】
【請求項１】
回線交換網を介して発信が行われる際に、該回線交換網へのアクセスが規制されているかどうかを判定する規制状態判定部と、
該規制状態判定部により前記回線交換網へのアクセスが規制されていると判定された場合に、発信者による所定の操作に従って、該発信者から着信者への音声メッセージをエンコードし、パケット化するデータ処理部と、
パケット交換網を介して、前記データ処理部によりパケット化された音声メッセージを送信するように制御する通信制御部と
を有し、
前記通信制御部は、前記回線交換網を介して発信する際に指定された前記着信者の電話番号に基づいて、パケット化された音声メッセージに含まれる音声メッセージを着信者に伝える処理を行うファイルサーバのドメイン名を含む電子メールのアドレスを作成し、該電子メールのアドレスを宛先として、前記データ処理部によりパケット化された音声メッセージを送信する、ユーザ端末。
【請求項２】
回線交換網を介して発信が行われる際に、該回線交換網へのアクセスが規制されているかどうかを判定する規制状態判定ステップと、
該規制状態判定ステップにより前記回線交換網へのアクセスが規制されていると判定された場合に、発信者による所定の操作に従って、該発信者から着信者への音声メッセージをエンコードし、パケット化するデータ処理ステップと、
パケット交換網を介して、前記データ処理ステップによりパケット化された音声メッセージを送信するように制御する通信制御ステップと
を有し、
前記通信制御ステップでは、前記回線交換網を介して発信する際に指定された前記着信者の電話番号に基づいて、パケット化された音声メッセージに含まれる音声メッセージを着信者に伝える処理を行うファイルサーバのドメイン名を含む電子メールのアドレスを作成し、該電子メールのアドレスを宛先として、前記データ処理ステップによりパケット化された音声メッセージを送信する、ユーザ端末における通信方法。
【発明の詳細な説明】
【技術分野】
【０００１】
本発明は、無線通信システムに関する。
【背景技術】
【０００２】
複数のＲＡＴ（Ｒａｄｉｏ  Ａｃｃｅｓｓ  Ｔｅｃｈｎｏｌｏｇｙ）に接続可能な場合において、何れかのＲＡＴにおいてアクセスクラス規制などの発信規制が発動されている場合でも、通信を開始できる可能性を向上させるための技術が知られている（例えば、特許文献１参照）。この技術では、移動端末は、在圏システムにおいてアクセスクラス規制が行われているか否かを示す規制情報を管理する規制情報管理部と、規制情報管理部によって管理されている規制情報に基づいて、移動通信システムに対する発信を制御する発信制御部と、発信制御部による制御に基づいて、在圏システムを制御する在圏ＲＡＴ制御部とを備える。在圏ＲＡＴ制御部は、発信制御部が発信要求を受け付けた際に、在圏システムにおいて発信規制が行われている場合、発信要求に伴って利用される通信サービスを提供する移動通信システムに在圏システムを切り替える。
【０００３】
また、パケット交換システムを利用した通話を、回線交換システムを利用した通話に切り換えた場合でも、通話を継続することに関する技術が知られている（例えば、特許文献２参照）。この技術では、着信側において、パケット交換システムによる通話から回線交換システムによる通話への切換通知を受信した際に、電波状態判断部が、自端末について、回線交換システムの圏内であると判断し、あるいは回線交換システムの圏内であってさらに回線交換システムが発信規制を行っていないと判断した場合は、制御部が、回線交換システムからの呼び出しに応答できるように制御し、電波状態判断部が、自端末について、回線交換システムの圏内でないと判断し、あるいは回線交換システムの圏内であるが回線交換システムが発信規制を行っていると判断した場合は、制御部が、パケット交換システムからの呼び出しに応答できるように制御する。
【先行技術文献】
【特許文献】
【０００４】
【特許文献１】特開２０１０−１４１６６９号公報
【特許文献２】特開２００８−２１１６１０号公報
【発明の概要】
【発明が解決しようとする課題】
【０００５】
ネットワークの輻輳等によるアクセス規制により、発信側で、ＣＳ回線が規制された場合について考える。ＣＳ回線が規制されているため、発信者は、ＣＳ回線を使用できない。ＣＳ回線を使用できないため、発信者は、相手側に、ＰＳ回線でしか音声メッセージを伝えることができない。
【０００６】
さらに、着信側でＰＳ回線が規制された場合、または着信者がＣＳ回線にしか対応していない場合には、着信側に、ＰＳ回線で発信された音声メッセージを伝えることができない。
【０００７】
本発明は、上記の点に鑑みてなされたものであり、発信側の回線交換網へのアクセス規制が実行され、さらに、着信側では回線交換にしか対応していない場合であっても、相手側に、音声メッセージを伝えるための技術を提供することを目的とする。
【課題を解決するための手段】
【０００８】
上記の課題を解決するために、本ユーザ端末は、回線交換網を介して発信が行われる際に、該回線交換網へのアクセスが規制されているかどうかを判定する規制状態判定部と、
規制状態判定部により前記回線交換網へのアクセスが規制されていると判定された場合に、発信者による所定の操作に従って、該発信者から着信者への音声メッセージをエンコードし、パケット化するデータ処理部と、パケット交換網を介して、前記データ処理部によりパケット化された音声メッセージを送信するように制御する通信制御部と
を有し、
前記通信制御部は、前記回線交換網を介して発信する際に指定された前記着信者の電話番号に基づいて、パケット化された音声メッセージに含まれる音声メッセージを着信者に伝える処理を行うファイルサーバのドメイン名を含む電子メールのアドレスを作成し、該電子メールのアドレスを宛先として、前記データ処理部によりパケット化された音声メッセージを送信する、ユーザ端末として達成される。
【００１１】
また、上記ユーザ端末が実行する通信方法として構成することもできる。
【発明の効果】
【００１２】
開示された実施例によれば、発信側の回線交換網へのアクセス規制が実行され、さらに、着信側では回線交換にしか対応していない場合であっても、相手側に、音声メッセージを伝えるための技術を提供することが可能となる。
【図面の簡単な説明】
【００１３】
【図１】無線通信システムの一実施例を示す図である。
【図２】ユーザ端末の一実施例を示す図である。
【図３】ユーザ端末の一実施例を示す機能ブロック図である。
【図４】ユーザ端末の動作の一実施例（その１）を示すフローチャートである。
【図５】ユーザ端末の動作の一実施例（その２）を示すフローチャートである。
【図６】ユーザ端末の動作の一実施例（その３）を示すフローチャートである。
【図７】サーバの一実施例を示す図である。
【図８】加入者情報データベースの一実施例を示す図である。
【図９】サーバの一実施例を示す機能ブロック図である。
【図１０】サーバの動作の一実施例（その１）を示すシーケンスチャートである。
【図１１】サーバの動作の一実施例（その２）を示すシーケンスチャートである。
【図１２】サーバの動作の一実施例（その３）を示すフローチャートである。
【図１３】サーバの動作の一実施例（その４）を示すシーケンスチャートである。
【図１４】無線通信システムの動作の一実施例を示すフローチャートである。
【発明を実施するための形態】
【００１４】
以下、図面に基づいて、実施例を説明する。
なお、実施例を説明するための全図において、同一機能を有するものは同一符号を用い、繰り返しの説明は省略する。
【００１５】
＜実施例＞
＜無線通信システム＞
図１は、無線通信システムの一実施例を示す。
【００１６】
図１には、第１の無線通信システム（添え字「１」により表す）と、第２の無線通信システム（添え字「２」により表す）が示される。第１の無線通信システムにより無線通信を行うユーザ端末１００１から、第２の無線通信システムにより無線通信を行うユーザ端末１００２を着信側として、ＣＳ回線により発呼することが試みられる。しかし、第１の無線通信システムの基地局２００１によりカバーされるセル２５０１のＣＳ回線へのアクセスが規制されている。第１の無線通信システムと、第２の無線通信システムは、同じ事業者により運営されてもよいし、異なる事業者により運営されてもよい。
【００１７】
ユーザ端末１００１、１００２は、ユーザが通信することができる適切な如何なる移動通信端末でもよく、例えば、携帯電話、情報端末、パーソナルディジタルアシスタント、携帯用パーソナルコンピュータ等が含まれるが、これらに限定されない。
【００１８】
無線通信システムは、主に無線アクセス制御を行う無線アクセスネットワーク（ＲＡＮ）（図示なし）と、移動管理、呼制御、サービス制御等を行うコアネットワーク（ＣＮ：  Ｃｏｒｅ  Ｎｅｔｗｏｒｋ）６００に分類される。本実施例では、本願に特に関連するコアネットワーク６００について主に説明され、無線アクセスネットワークについての説明は省略される。
【００１９】
ＲＡＮには、無線基地局（ＢＴＳ：  Ｂａｓｅ  Ｔｒａｎｓｃｅｉｖｅｒ  Ｓｔａｔｉｏｎ）２００１（２００２）及び無線ネットワーク制御装置（ＲＮＣ：Ｒａｄｉｏ  Ｎｅｔｗｏｒｋ  Ｃｏｎｔｒｏｌｌｅｒ）３００１（３００２）が含まれる。
【００２０】
コアネットワーク６００は、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系サービスを提供し、ＰＳドメインはデータ通信系サービスを提供する。
【００２１】
ユーザ端末に対して各ドメインのサービスを提供するノードとして、加入者階梯交換機（図示なし）が含まれる。
【００２２】
ユーザ端末に対して各ドメインのサービスを提供するノードとして、関門階梯交換機（図示なし）が含まれる。音声呼を処理する関門階梯交換機とパケット呼を処理する関門階梯交換機が存在する。同一の装置に実装されていてもよい。
【００２３】
図１に示される例では、加入者階梯交換機、関門階梯交換機は、交換機４００１（４００２）により表される。
【００２４】
交換機４００１（４００２）には、ファイルサーバ５００が接続される。ファイルサーバ５００は、主に、発信側、すなわち第１の無線通信システムの基地局２００１によりカバーされるセル２５０１のＣＳ回線へのアクセス規制が実行されている場合に機能する。ここでは、主に、セルへのアクセス規制が実行されている場合を一例として説明するが、セル・交換機の両方へのアクセス規制が実行されている場合、交換機へのアクセス規制が実行されている場合についても同様である。
【００２５】
発信側、すなわち第１の無線通信システムの基地局２００１によりカバーされるセル２５０１のＣＳ回線へのアクセス規制が実行されている場合には、基地局２００１からアクセス規制に関する情報を含む報知情報が送信される。
【００２６】
基地局２００１に在圏するユーザ端末１００１に対して、回線交換により発呼をする操作が行われた場合、ＣＳ回線へのアクセス規制が実行されているため、発呼ができない。この場合、発信者による要求に応じて、ユーザ端末１００１は、着信者に対する音声メッセージを録音する。発信者は、所定の操作を行うことにより、ユーザ端末１００１に、着信者に対する音声メッセージを録音させることができる。該ユーザ端末１００１は、録音された音声メッセージをエンコードし、パケット化する。該ユーザ端末１００１は、ファイルサーバ５００に、ＰＳ回線により、パケット化された音声メッセージ（以下、「音声メッセージパケット」という）を転送する。
【００２７】
ファイルサーバ５００は、基地局２００１からの音声メッセージパケットを受信する。ファイルサーバ５００は、該音声メッセージパケットに含まれる音声メッセージを伝えるべき着信者の契約情報を参照し、着信者のユーザ端末１００２により対応可能な回線から適切な回線を選択する。ファイルサーバ５００は、着信者のユーザ端末１００２により対応可能な回線から選択された回線を利用して、音声メッセージを伝えるための処理を行う。
【００２８】
ＰＳ回線が選択された場合には、ファイルサーバ５００は、ＰＳ回線により、着信者のユーザ端末１００２に、音声メッセージパケットを送信する。該音声メッセージパケットは、ファイルサーバ５００から交換機４００２を経由して、ＲＮＣ３００２、ＢＴＳ２００２を介して、着信者のユーザ端末１００２に送信される。
【００２９】
ＣＳ回線が選択された場合には、ファイルサーバ５００は、音声メッセージパケットをデコードする。ファイルサーバ５００は、ＣＳ回線により、着信者のユーザ端末１００２に、音声メッセージパケットをデコードすることにより得られるべき音声メッセージを送信する。ファイルサーバ５００から、着信者のユーザ端末１００２に発呼するようにしてもよい。また、着信者のユーザ端末１００２に、ファイルサーバ５００への発信を促すようにしてもよい。該音声メッセージは、ファイルサーバ５００から交換機４００２を経由して、ＲＮＣ３００２、ＢＴＳ２００２を介して、着信者のユーザ端末１００２に送信される。
【００３０】
＜ユーザ端末＞
図２は、ユーザ端末１００１の一実施例を示す。図２には、主にハードウェア構成が示される。ユーザ端末１００２は、ユーザ端末１００１と略同一である。
【００３１】
ユーザ端末１００１は、入力部１０２と、出力部１０４と、通信制御部１０６と、無線部１０８と、記憶部１１０と、中央演算処理装置（ＣＰＵ：  Ｃｅｎｔｒａｌ  Ｐｒｏｃｅｓｓｉｎｇ  Ｕｎｉｔ）１１２とを有する。各機能ブロックは、バス１５０により接続される。
【００３２】
中央演算処理装置１１２は、入力部１０２、出力部１０４、通信制御部１０６、無線部１０８、及び記憶部１１０の制御を行う。中央演算処理装置１１２は、記憶部１１０に記憶されたプログラムに従って機能し、所定の処理を行う。
【００３３】
記憶部１１０は、アプリケーションと、オペレーティングシステム（ＯＳ：  Ｏｐｅｒａｔｉｎｇ  Ｓｙｓｔｅｍ）とを有する。アプリケーションは、ユーザがユーザ端末１００１上で実行する作業を実施する機能を有するソフトウェアである。オペレーティングシステムは、ユーザ端末１００１において、ハードウェアを抽象化したインターフェースをアプリケーションソフトウェアに提供するソフトウェアである。
【００３４】
入力部１０２は、例えば、キーボードやマウスにより構成され、当該ユーザ端末１００１への指示や、データの入力を行うための装置である。また、タッチパネルにより構成されてもよい。また、入力部１０２は、例えば、マイクにより構成され、ユーザにより発せられた音声を入力する。該音声には、着信者へのメッセージや、当該ユーザ端末１００１への指示が含まれてもよい。該指示には、オペレーティングシステムに対するものや、アプリケーションに対するものが含まれる。
【００３５】
出力部１０４は、例えば、ディスプレイにより構成され、当該ユーザ端末１００１による処理状態や処理結果を表示する。また、出力部１０４は、例えば、スピーカにより構成され、ユーザに対して、音を出力するようにしてもよい。該処理状態や処理結果には、オペレーティングシステムやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマディスプレイ（ＰＤＰ：  Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイなどが含まれる。
【００３６】
通信制御部１０６は、上りリンクの信号を送信するための制御を行う。ＣＳ網への上りリンクの信号、ＰＳ網への上りリンクの信号の両方を含む。また、通信制御部１０６は、無線部１０８により入力されるべき下りリンクの信号を受信するための制御を行う。ＣＳ網からの下りリンクの信号、ＰＳ網からの下りリンクの信号の両方を含む。
【００３７】
無線部１０８は、中央演算処理装置１１２による制御により、基地局２００１との間で、所定の無線通信方式により無線通信を行う。該無線通信方式には、ＧＳＭ、Ｗ−ＣＤＭＡが含まれる。また、ＬＴＥが含まれてもよい。例えば、通信制御部１０６により生成されるべき、上りリンクの信号を無線信号に変換して送信する。また、基地局２００１からの無線信号をベースバンド信号に変換する。
【００３８】
＜ユーザ端末の機能＞
図３は、ユーザ端末１００１を示す機能ブロック図である。図３には、主に、ＣＰＵ１１２により実行される機能が示される。
【００３９】
ユーザ端末１００１は、規制状態判定部１１２２と、規制状態設定部１１２４と、音声発信判定部１１２６と、音声メッセージ通信制御部１１２８と、データ処理部１１３０とを有する。
【００４０】
規制状態判断部１１２２は、通信制御部１０６と接続される。規制状態判断部１１２２には、通信制御部１０６から、当該ユーザ端末１００１により受信されるべき報知情報が入力される。規制状態判断部１１２２は、該報知情報に含まれる規制情報に基づいて、当該ユーザ端末１００１に対してアクセス規制が実行されているかどうかを判断する。ＣＳ回線及びＰＳ回線のそれぞれについて判断されてもよい。具体的には、規制状態判断部１１２２は、報知情報に含まれるべき規制に関する情報（Ｓｙｓｔｅｍ  Ｉｎｆｏｒｍａｔｉｏｎ  Ｂｌｏｃｋ  Ｔｙｐｅ  ３）のアクセス不可情報（Ｃｅｌｌ  Ｂａｒｒｅｄ）、規制率情報（Ｃｅｌｌ  Ａｃｃｅｓｓ  Ｒｅｓｔｒｉｃｔｉｏｎ）に基づいて判断する。アクセス不可情報及び規制率情報は、ＣＳ回線及びＰＳ回線のそれぞれについて用意されてもよい。規制状態判断部１１２２は、規制状態設定部１１２４に、規制状態の判断結果を表す情報を入力する。
【００４１】
規制状態設定部１１２４は、規制状態判断部１１２２と接続される。規制状態設定部１１２４は、規制状態判断部１１２２により入力されるべき規制状態の判断結果を表す情報に従って、規制状態を設定する。
【００４２】
音声発信判定部１１２６は、入力部１０２、出力部１０４、規制状態設定部１１２４と接続される。音声発信判定部１１２６には、ユーザにより音声発信の操作が行われた場合に、入力部１０２から音声発信操作信号が入力される。音声発信判定部１１２６は、音声発信操作信号が入力された場合に、規制状態設定部１１２４に設定されるべき規制状態を参照し、当該ユーザ端末１００１によりＣＳ回線へのアクセス規制が実行されているかどうかを判定する。
【００４３】
音声発信判定部１１２６は、当該ユーザ端末１００１によりＣＳ回線へのアクセス規制が実行されていないと判定した場合、周期的に、当該ユーザ端末１００１によりＣＳ回線へのアクセス規制が実行されているかどうかを判定する。
【００４４】
音声発信判定部１１２６は、当該ユーザ端末１００１によりＣＳ回線へのアクセス規制が実行されていると判定した場合、出力部１０４に、当該ユーザ端末１００１によりＣＳ回線へのアクセス規制が実行されていることを表す音声発信不可通知信号を入力する。出力部１０４は、音声発信判定部１１２６から音声発信不可通知信号が入力された場合に、ユーザに、音声発信ができないことを通知する。具体的には、音声発信ができないことを表示したり、音声ガイダンスにより音声により通知したりしてもよい。音声発信判定部１１２６は、音声発信ができないと判断した場合に、音声メッセージ通信制御部１１２８に、音声発信ができないことを表す情報を入力する。
【００４５】
音声メッセージ通信制御部１１２８は、入力部１０２と、出力部１０４と、音声発信判定部１１２６と接続される。音声メッセージ通信制御部１１２８は、音声発信判定部１１２６から、音声発信ができないことを表す情報が入力された場合に、出力部１０４に、音声メッセージを送信するかどうかを問い合わせるための信号（以下、「音声メッセージ送信問い合わせ信号」という）を入力する。出力部１０４は、音声メッセージ通信制御部１１２８から音声メッセージ送信問い合わせ信号が入力された場合、ユーザに、音声メッセージを送信するかどうかを問い合わせるための情報を出力する。具体的には、音声メッセージを送信するかどうかを問い合わせるメッセージを表示したり、音声ガイダンスにより音声メッセージを送信するかどうかを問い合わせたりしてもよい。
【００４６】
ユーザ端末１００１からの音声メッセージを送信するかどうかを問い合わせるための情報に対して、ユーザは、入力部１０２を操作することにより回答することができる。ユーザによる回答（以下、「音声メッセージ送信操作信号」という）は、音声メッセージ通信制御部１１２８に入力される。音声メッセージ通信制御部１１２８は、入力部１０２から、音声メッセージ送信操作信号が入力され、該音声メッセージ送信操作信号が音声メッセージを送信することを表す場合、出力部１０４に、ユーザに音声メッセージを依頼することを表す情報（以下、「音声メッセージ依頼信号」という）を入力するとともに、データ処理部１１３０に、音声メッセージパケットを生成するように命令する。出力部１０４は、音声メッセージ通信制御部１１２８からの音声メッセージ依頼信号に従って、音声メッセージを依頼するガイダンスを出力する。
【００４７】
データ処理部１１３０は、入力部１０２と、通信制御部１０６と、音声メッセージ通信制御部１１２８と接続される。データ処理部１１３０は、音声メッセージ通信制御部１１２８から、音声メッセージパケットを生成する命令が入力された場合に主に機能する。データ処理部１１３０に、音声メッセージ通信制御部１１２８から音声メッセージパケットを生成する命令が入力された際に、出力部１０４からは音声メッセージを依頼するガイダンスが出力される。該音声メッセージを依頼するガイダンスに従って、ユーザが音声メッセージを発すると、該音声メッセージは、入力部１０２を介して、データ処理部１１３０に入力される。データ処理部１１３０は、入力部１０２からの音声メッセージを録音する。また、データ処理部１１３０は、録音された音声メッセージをエンコードし、パケット化する。該パケットには、着信側のユーザ端末１００２の識別子が含まれる。データ処理部１１３０は、通信制御部１０６に、パケット化した音声メッセージを入力する。通信制御部１０６は、ファイルサーバ５００に、データ処理部１１３０からの音声メッセージパケットを、無線部１０８を介して送信するための制御を行う。
【００４８】
＜ファイルサーバ５００に音声メッセージパケットを送信する方法（その１）＞
記憶部１１０には、電話番号と、該電話番号に対応付けられた電子メールのアドレスとが対応付けられたテーブル（以下、「電話番号電子メール対応テーブル」という）が格納される。
【００４９】
この場合、通信制御部１０６は、ファイルサーバ５００に音声メッセージパケットを送信する際に、電話番号電子メール対応テーブルを参照し、回線交換により発呼する際に入力された電話番号に対応する電子メールを取得する。通信制御部１０６は、該電子メールを宛先として、音声メッセージパケットを送信する。
【００５０】
図４は、ファイルサーバ５００に、音声メッセージパケットを送信する方法（その１）を示すフローチャートである。
【００５１】
ユーザ端末１００１は、ＣＳ回線へのアクセス規制が実行されていることを検出する（ステップＳ４０２）。つまり、音声発信判定部１１２６は、ＣＳ回線へのアクセス規制が実行されていることを検出する。
【００５２】
ユーザ端末１００１は、音声メッセージを録音し、着信者に伝えるための操作が実行されたかどうかを判定する（ステップＳ４０４）。つまり、音声メッセージ通信制御部１１２８は、音声メッセージを送信するための操作が行われたかどうかを判定する。
【００５３】
音声メッセージを録音し、着信者に伝えるための操作が実行されたと判定されない場合（ステップＳ４０４：ＮＯ）、終了する。
【００５４】
音声メッセージを録音し、着信者に伝えるための操作が実行されたと判定される場合（ステップＳ４０４：ＹＥＳ）、ユーザ端末１００１は、音声メッセージを録音し、パケット化する（ステップＳ４０６）。つまり、データ処理部１１３０は、音声メッセージを録音し、パケット化する。
【００５５】
ユーザ端末１００１は、着信側のユーザ端末１００２の電子メールアドレスを取得できるかどうかを判定する（ステップＳ４０８）。つまり、通信制御部１０６は、着信側のユーザ端末１００２の電子メールアドレスを取得できるかどうかを判定する。
【００５６】
着信側のユーザ端末１００２の電子メールアドレスを取得できると判定されない場合（ステップＳ４０８：ＮＯ）、後述する図５のステップＳ５０８に遷移する。図５のステップＳ５０８に遷移せずに終了するようにしてもよい。
【００５７】
着信側のユーザ端末１００２の電子メールアドレスを取得できると判定される場合（ステップＳ４０８：ＹＥＳ）、ユーザ端末１００１は、電子メールアドレスを利用して、音声メッセージパケットを送信する（ステップＳ４１０）。つまり、通信制御部１０６は、電子メールアドレスを利用して、音声メッセージパケットを送信する。
【００５８】
＜ファイルサーバ５００に音声メッセージパケットを送信する方法（その２）＞
通信制御部１０６は、ファイルサーバ５００に音声メッセージパケットを送信する際に、回線交換により発呼する際に入力された電話番号に基づいて電子メールを作成する。具体的には、ファイルサーバのドメイン名を含む電子メールが作成される。通信制御部１０６は、該電子メールを宛先として送信する。該ドメイン名は、ファイルサーバ５００を表すものであってもよい。
【００５９】
図５は、ファイルサーバ５００に音声メッセージパケットを送信する方法（その２）を示すフローチャートである。
【００６０】
図５のステップＳ５０２−Ｓ５０６は、図４のステップＳ４０２−Ｓ４０６と略同一である。
【００６１】
ユーザ端末１００１は、着信側のユーザ端末１００２の電話番号に基づいて、専用の電子メールアドレスを作成する（ステップＳ５０８）。つまり、通信制御部１０６は、着信側のユーザ端末１００２の電話番号に基づいて、専用の電子メールアドレスを作成する。具体的には、着信側のユーザ端末１００２の電話番号が「０９０＊＊＊＊＊＊」である場合に、専用の電子メールアドレスとして「０９０＊＊＊＊＊＊＠ｓａｉｇａｉ．ＸＸＸＸＸＸ．ｎｅ．ｊｐ」を作成する。「ｓａｉｇａｉ．ＸＸＸＸＸＸ」によりファイルサーバ５００のドメイン名が指定されてもよい。
【００６２】
ユーザ端末１００１は、ステップＳ５０８により作成された専用の電子メールアドレスを利用して、音声メッセージパケットを送信する（ステップＳ５１０）。つまり、通信制御部１０６は、専用の電子メールアドレスを利用して、音声メッセージパケットを送信する。
【００６３】
＜ファイルサーバ５００に音声メッセージパケットを送信する方法（その３）＞
通信制御部１０６は、ファイルサーバ５００に音声メッセージパケットを送信する際に、ファイルサーバ５００と接続することにより専用のウェブページにアクセスし、音声メッセージパケットをアップロードするようにしてもよい。この場合、ファイルサーバ５００には、着信側のユーザ端末１００２が音声メッセージを取得する際にアクセスすべき専用のウェブページが用意される。着信側のユーザ端末１００２が、該ウェブページにアクセスし、当該着信側のユーザ端末１００２により取得されるべき音声メッセージに対応する音声メッセージ識別子を選択することにより、当該ユーザ端末１００２宛の音声メッセージを取得することができる。
【００６４】
図６は、ファイルサーバ５００に、音声メッセージパケットを送信する方法（その３）を示すフローチャートである。
【００６５】
図６のステップＳ６０２−Ｓ６０６は、図４のステップＳ４０２−Ｓ４０６と略同一である。
【００６６】
ユーザ端末１００１は、ファイルサーバ５００と接続することにより、専用のウェブページにアクセスし、音声メッセージをアップロードする（ステップＳ６０８）。つまり、通信制御部１０６は、ファイルサーバ５００と接続することにより、専用のウェブページにアクセスし、音声メッセージをアップロードする。
【００６７】
＜ファイルサーバ＞
図７は、ファイルサーバ５００の一実施例を示す。図７には、主にハードウェア構成が示される。
【００６８】
ファイルサーバ５００は、通信部５０２と、中央演算処理装置５０４と、記憶部５０６と、通信制御部５０８とを有する。各機能ブロックは、バス５５０により接続される。
【００６９】
中央演算処理装置５０４は、通信制御部５０８、通信部５０２、及び記憶部５０６の制御を行う。中央演算処理装置５０４は、記憶部５０６に記憶されたプログラムに従って機能し、所定の処理を行う。
【００７０】
記憶部５０６は、アプリケーションと、オペレーティングシステムとを有する。アプリケーションは、ユーザがファイルサーバ５００上で実行する作業を実施する機能を有するソフトウェアである。オペレーティングシステムは、ファイルサーバ５００において、ハードウェアを抽象化したインターフェースをアプリケーションソフトウェアに提供するソフトウェアである。
【００７１】
また、記憶部５０６には、ユーザ端末１００１からの音声メッセージパケットが格納される。音声メッセージパケットを送信したユーザ端末の識別子と対応付けられて、音声メッセージパケットが格納されてもよい。
【００７２】
また、記憶部５０６には、加入者情報ＤＢ格納される。
【００７３】
図８は、加入者情報ＤＢの一例を示す。
【００７４】
加入者情報ＤＢには、加入者識別子と、該加入者識別子に対応するユーザ端末によりパケット通信が可能であるかどうかを表す情報とが対応付けられて記憶される。図５に示される例では、パケット通信が可能である場合は「可」により表され、不可能である場合は「不可」により表される。
【００７５】
図８に示される例では、加入者識別子が「ＡＡＡ」により表されるユーザ端末は、パケット通信が可能である。また、加入者識別子が「ＢＢＢ」により表されるユーザ端末は、パケット通信が不可能である。また、加入者識別子が「ＣＣＣ」により表されるユーザ端末は、パケット通信が不可能である。また、加入者識別子が「ＤＤＤ」により表されるユーザ端末は、パケット通信が可能である。
【００７６】
通信制御部５０８は、当該ファイルサーバ５００と、交換機４００１及び４００２との間で送受信されるデータを生成し、また、交換機４００１及び４００２により送信されたデータを解析する。
【００７７】
通信部５０２は、中央演算処理装置５０４による制御により、交換機４００１、及び４００２との間で、通信を行う。
【００７８】
＜ファイルサーバの機能＞
図９は、ファイルサーバ５００を示す機能ブロック図である。図９には、主に、ＣＰＵ５０４により実行される機能が示される。
【００７９】
ファイルサーバ５００は、音声メッセージパケット解析部５０４２と、パケット通信判定部５０４４と、音声メッセージパケット送信制御部５０４６と、データ処理部５０４８とを有する。
【００８０】
音声メッセージパケット解析部５０４２は、記憶部５０６と接続される。音声メッセージパケット解析部５０４２は、記憶部５０６に格納された音声メッセージパケットを解析する。具体的には、音声メッセージパケットに含まれるべき着信側のユーザ端末１００２の識別子を取得する。音声メッセージパケット解析部５０４２は、パケット通信判定部５０４４に、着信側のユーザ端末１００２の識別子を表す情報を入力する。
【００８１】
パケット通信判定部５０４４は、記憶部５０６と、音声メッセージパケット解析部５０４２と接続される。パケット通信判定部５０４４は、記憶部５０６に格納された加入者情報ＤＢを参照し、音声メッセージパケット解析部５０４２からの着信側のユーザ端末１００２の識別子に基づいて、該着信側のユーザ端末１００２によりパケット通信が可能であるかどうかを判定する。パケット通信判定部５０４４は、音声メッセージパケット送信制御部５０４６に、着信側のユーザ端末１００２によりパケット通信が可能であるかどうかを表す情報を入力する。
【００８２】
音声メッセージパケット送信制御部５０４６は、パケット通信判定部５０４４と接続される。音声メッセージパケット送信制御部５０４６は、パケット通信判定部５０４４により入力されるべき着信側のユーザ端末１００２によりパケット通信が可能であるかどうかを表す情報に基づいて、着信側のユーザ端末１００２によりパケット通信が可能である場合には、通信制御部５０８に、記憶部５０６に格納された、該着信側のユーザ端末１００２宛の音声メッセージパケットを送信するように命令する。通信制御部５０８は、音声メッセージパケット送信制御部５０４６による命令に従って、通信部５０２から、記憶部５０６に格納された、該着信側のユーザ端末１００２宛の音声メッセージパケットを送信する。
【００８３】
＜着信側のユーザ端末１００２に、音声メッセージパケットを送信する方法（その１）＞
通信制御部５０８は、音声メッセージパケットの宛先として着信側のユーザ端末１００２の電子メールアドレスが指定されている場合には、該着信側のユーザ端末１００２の電子メールアドレスを宛先として送信する。該音声メッセージパケットは、交換機４００２、ＲＮＣ３００２、基地局２００２を介して、着信側のユーザ端末１００２に送信される。
【００８４】
図１０は、着信側のユーザ端末１００２に、音声メッセージパケットを送信する方法（その１）を示すシーケンスチャートである。
【００８５】
ファイルサーバ５００は、着信側のユーザ端末１００２の電子メールアドレス宛に、音声メッセージパケットを送信する（ステップＳ１００２）。つまり、音声メッセージパケット送信制御部５０４６は、着信側のユーザ端末１００２の電子メールアドレス宛に、音声メッセージパケットを送信する制御を行う。
【００８６】
ファイルサーバ５００から、着信側のユーザ端末１００２に、音声メッセージパケットが送信される（ステップＳ１００４）。
【００８７】
ユーザ端末１００２は、ファイルサーバ５００からの音声メッセージパケットを復号する（ステップＳ１００６）。つまり、通信制御部１０６は、ファイルサーバ５００からの音声メッセージパケットを復号する。
【００８８】
ユーザ端末１００２は、音声メッセージを再生する（ステップＳ１００８）。つまり、出力部１０４は、音声メッセージを再生することにより出力する。
【００８９】
＜着信側のユーザ端末１００２に、音声メッセージパケットを送信する方法（その２）＞
ファイルサーバ５００に、音声メッセージパケットがアップロードされている場合には、該音声メッセージがアップロードされたウェブページのアドレスを含むメッセージを、ショートメッセージサービス（ＳＭＳ：  Ｓｈｏｒｔ  Ｍｅｓｓａｇｅ  Ｓｅｒｖｉｃｅ）を利用して送信する。ショートメッセージサービスでは、着信側のユーザ端末１００２の電話番号が指定される。発信側のユーザ端末１００１から、ファイルサーバ５００に送信されるべき音声メッセージパケットに、着信側のユーザ端末１００２の電話番号を表す情報が含まれてもよい。該音声メッセージは、交換機４００２、ＲＮＣ３００２、基地局２００２を介して、ユーザ端末１００２に送信される。
【００９０】
該メッセージを受信した着信側のユーザ端末１００２は、音声メッセージがアップロードされたウェブページにアクセスすることにより、発信者からの音声メッセージを取得することができる。
【００９１】
図１１は、着信側のユーザ端末１００２に、音声メッセージパケットを送信する方法（その２）を示すシーケンスチャートである。
【００９２】
ファイルサーバ５００は、専用のウェブページのアドレスを含むメッセージを作成する（ステップＳ１１０２）。つまり、音声メッセージパケット送信制御部５０４６は、専用のウェブページのアドレスを含むメッセージを作成する。
【００９３】
ファイルサーバ５００は、着信側のユーザ端末１００２に、ショートメッセージサービスを利用して、ステップＳ１１０２により作成されたメッセージを送信する（ステップＳ１１０４）。つまり、通信制御部５０８は、専用のウェブページのアドレスを含むメッセージを送信する制御を行う。
【００９４】
着信側のユーザ端末１００２は、ファイルサーバ５００からのメッセージから、専用のウェブページのアドレスを取得する（ステップＳ１１０６）。
【００９５】
着信側のユーザ端末１００２は、専用のウェブページにアクセスし、音声メッセージを取得する（ステップＳ１１０８）。つまり、通信制御部１０６は、専用のウェブページにアクセスし、音声メッセージを取得する。
【００９６】
着信側のユーザ端末１００２は、音声メッセージを再生する（ステップＳ１０１０）。つまり、通信制御部１０６は、ファイルサーバ５００からの音声メッセージパケットを復号する。出力部１０４は、音声メッセージを再生することにより出力する。
【００９７】
また、音声メッセージパケット送信制御部５０４６は、パケット通信判定部５０４４により入力されるべき着信側のユーザ端末１００２によりパケット通信が可能であるかどうかを表す情報に基づいて、着信側のユーザ端末１００２によりパケット通信が不可能である場合には、データ処理部５０４８に、パケット通信が不可能であることを通知する。さらに、音声メッセージパケット送信制御部５０４６は、通信制御部５０８に、記憶部５０６に格納された、該着信側のユーザ端末１００２宛の音声メッセージパケットをデータ処理部５０４８に入力するように命令する。
【００９８】
データ処理部５０４８は、通信制御部５０８と、音声メッセージパケット送信制御部５０４６と接続される。データ処理部５０４８は、音声メッセージパケット送信制御部５０４６から、音声メッセージが不可能であることを表す情報が入力された場合に、通信制御部５０８により入力されるべき音声メッセージパケットをデコードすることにより音声メッセージに変換する。
【００９９】
＜着信側のユーザ端末１００２に、音声メッセージを通知する方法（その１）＞
データ処理部５０４８は、音声メッセージパケットをデコードする。データ処理部５０４８は、通信制御部５０８に、音声メッセージを入力する。通信制御部５０８は、通信部５０２から、音声メッセージを送信する。具体的には、通信制御部５０８は、着信側のユーザ端末１００２に、ＣＳ回線により、発信する。該ＣＳ回線による発信に応じて、着信側のユーザ端末１００２がオフフックになった際に、音声メッセージを再生する。
【０１００】
図１２は、ユーザ端末１００２に、音声メッセージを通知する方法（その１）を示すフローチャートである。
【０１０１】
ファイルサーバ５００は、着信側のユーザ端末１００２へ、ＣＳ回線を介して、発信する（ステップＳ１２０２）。つまり、音声メッセージパケット送信制御部５０４６は、通信制御部５０８に、着信側のユーザ端末１００２へ、ＣＳ回線を介して、発信するように命令する。通信制御部５０８は、音声メッセージパケット送信制御部５０４６による命令に従って、通信部５０２にＣＳ回線を介して発信させるように制御する。
【０１０２】
ファイルサーバ５００は、着信側のユーザ端末１００２によりオフフックされたかどうかを判定する（ステップＳ１２０４）。つまり、通信制御部５０８は、着信側のユーザ端末１００２によりオフフックされたかどうかを判定する。
【０１０３】
着信側のユーザ端末１００２によりオフフックされたと判定されない場合（ステップＳ１２０４：ＮＯ）、終了する。上述した着信側のユーザ端末１００２に音声メッセージパケットを送信する方法（その１）、（その２）に示される方法により、音声メッセージパケットが、着信側のユーザ端末１００２に送信されてもよいし、後述する着信側のユーザ端末１００２に音声メッセージを通知する方法（その２）に示される方法により、音声メッセージが、着信側のユーザ端末１００２に通知されてもよい。
【０１０４】
着信側のユーザ端末１００２によりオフフックされたと判定される場合（ステップＳ１２０４：ＹＥＳ）、ファイルサーバ５００は、音声メッセージパケットを復号する（ステップＳ１２０６）。つまり、通信制御部５０８によりデータ処理部５０４８に、着信側のユーザ端末１００２によりオフフックされたことが通知される。データ処理部５０４８は、オフフックされたことが通知された場合、音声メッセージパケットを復号する。
【０１０５】
ファイルサーバ５００は、音声メッセージを再生する（ステップＳ１２０８）。つまり、データ処理部５０４８により音声メッセージパケットが復号されることにより得られる音声メッセージは、通信制御部５０８により再生され、通信部５０２を介して、着信側のユーザ端末１００２に送信される。
【０１０６】
＜着信側のユーザ端末１００２に、音声メッセージを通知する方法（その２）＞
ファイルサーバ５００から、着信側のユーザ端末１００２に、ショートメッセージサービスを利用して、音声メッセージがあることを表す情報が通知された場合には、以下の処理が行われる。この場合、音声メッセージがあることを表す情報には、ファイルサーバ５００に対応する電話番号が含まれる。より詳細には、ファイルサーバ５００に格納された音声メッセージを取得する際に利用できる電話番号が含まれる。
【０１０７】
音声メッセージがあることを表す情報を通知された着信側のユーザ端末１００２のユーザは、ファイルサーバ５００にＣＳ回線により、発信する。この場合、ＣＳ発信による発信は、着信側のユーザ端末１００２により実行される必要はなく、着信側のユーザ端末１００２以外のユーザ端末であってもよいし、固定電話であってもよい。ＣＳ回線により発信できる端末であればよい。ここでは、一例として、着信側のユーザ端末１００２から、ＣＳ回線により発信された場合について説明する。
【０１０８】
通信制御部５０８は、着信側のユーザ端末１００２からのＣＳ回線による発信を検出した場合に、データ処理部５０４８に、音声メッセージパケットを入力する。データ処理部５０４８は、通信制御部５０８により入力されるべき音声メッセージパケットを、音声データに変換する。通信制御部５０８は、音声データを再生する。
【０１０９】
図１３は、着信側のユーザ端末１００２に、音声メッセージを通知する方法（その２）を示すフローチャートである。
【０１１０】
ファイルサーバ５００は、音声メッセージが残されていることを表す情報を含むメッセージを作成する（ステップＳ１３０２）。つまり、音声メッセージパケット送信制御部５０４６は、音声メッセージが残されていることを表す情報を含むメッセージを作成する。
【０１１１】
ファイルサーバ５００は、着信側のユーザ端末１００２に、ショートメッセージサービスを利用して、ステップＳ１３０２により作成されたメッセージを送信する（ステップＳ１３０４）。つまり、通信制御部５０８は、通信部５０２に、音声メッセージパケット送信制御部５０４６により作成されたメッセージを、ショートメッセージサービスを利用して送信するように制御する。
【０１１２】
ユーザ端末１００２は、ＣＳ回線を介して、ファイルサーバ５００に発信する（ステップＳ１３０６）。つまり、通信制御部１０６は、ＣＳ回線により、ファイルサーバ５００からショートメッセージサービスを利用して送信されたメッセージに含まれる電話番号に発信する。
【０１１３】
ファイルサーバ５００は、着信側のユーザ端末１００２からの着信に応じて、音声メッセージパケットを復号する（ステップＳ１３０８）。つまり、通信制御部５０８からデータ処理部５０４８に、着信側のユーザ端末１００２から着信があったことが通知される。データ処理部５０４８は、着信側のユーザ端末１００２から着信があったことが通知された場合、音声メッセージパケットを復号する。
【０１１４】
ユーザ端末１００２は、音声メッセージを再生する（ステップＳ１３１０）。つまり、データ処理部５０４８により音声メッセージパケットが復号されることにより得られる音声メッセージは、通信制御部５０８により再生される。
【０１１５】
ファイルサーバ５００から、ユーザ端末１００２に、音声メッセージが通知される（ステップＳ１３１２）。つまり、通信部５０２を介して、着信側のユーザ端末１００２に、音声メッセージが送信される。
【０１１６】
＜無線通信システムの動作＞
図１４は、無線通信システムの動作の一実施例を示す。図１４には、主に、ファイルサーバ５００の動作が示される。
【０１１７】
ファイルサーバ５００は、発信側のユーザ端末１００１からの音声メッセージパケットを受信する（ステップＳ１４０２）。
【０１１８】
ファイルサーバ５００は、ステップＳ７０２において受信された音声メッセージパケットが所定の通信網からのパケットであるかどうかを判定する（ステップＳ１４０４）。具体的には、該着信側のユーザ端末の加入者情報を参照できる通信網であるかどうかを判定する。
【０１１９】
所定の通信網からのパケットであると判定された場合（ステップＳ１４０４：ＹＥＳ）、ファイルサーバ５００は、加入者情報ＤＢを確認する（ステップＳ１４０６）。
【０１２０】
着信側のユーザ端末１００２によりパケット通信が可能であるかどうかを判定する（ステップＳ１４０８）。
【０１２１】
着信側のユーザ端末１００２によりパケット通信が可能であると判定された場合（ステップＳ１４０８：ＹＥＳ）、ファイルサーバ５００は、ＰＳ網を介して音声メッセージパケットを送信する（ステップＳ１４１０）。
【０１２２】
着信側のユーザ端末１００２によりパケット通信が不可能であると判定された場合（ステップＳ１４０８：ＮＯ）、ファイルサーバ５００は、音声メッセージパケットをデコードする（ステップＳ１４１２）。
【０１２３】
ファイルサーバ５００は、ＣＳ網を介して、着信側のユーザ端末１００２に着信する（ステップＳ１４１４）。
【０１２４】
着信側のユーザ端末１００２がオフフックになったかどうかを判定する（ステップＳ１４１６）。
【０１２５】
着信側のユーザ端末１００２がオフフックになったと判定されない場合（ステップＳ１４１６：ＮＯ）、ファイルサーバ５００は、所定の回数着信を実施したかどうかを判定する（ステップＳ１４１８）。
【０１２６】
所定の回数着信を実施したと判定されない場合（ステップＳ１４１８：ＮＯ）、ステップＳ１４１４に戻る。
【０１２７】
所定の回数着信を実施したと判定される場合（ステップＳ１４１８：ＹＥＳ）、終了する。
【０１２８】
ステップＳ１４１６により、着信側のユーザ端末１００２がオフフックになったと判定される場合（ステップＳ１４１６：ＹＥＳ）、ファイルサーバ５００は、音声メッセージを再生する（ステップＳ１４２０）。
【０１２９】
ステップＳ１４０４により、所定の通信網からのパケットであると判定されない場合（ステップＳ１４０４：ＮＯ）、ファイルサーバ５００は、ステップＳ１４０２において受信された音声メッセージパケットが携帯網からのパケットであるかどうかを判定する（ステップＳ１４２２）。
【０１３０】
携帯網からのパケットであると判定された場合（ステップＳ１４２２：ＹＥＳ）、ファイルサーバ５００は、該パケットを送信可能であるかどうかを判定する（ステップＳ１４２４）。
【０１３１】
送信可能であると判定された場合（ステップＳ１４２４：ＹＥＳ）、ファイルサーバ５００は、該パケットを送信する（ステップＳ１４２６）。
【０１３２】
ステップＳ１４２２により携帯網からのパケットでないと判定された場合（ステップＳ１４２２：ＮＯ）又はステップＳ１４２４により送信可能であると判定されない（ステップＳ１４２４：ＮＯ）、ステップＳ１４１２に遷移する。
【０１３３】
本実施例によれば、発信者側のＣＳ網へのアクセス規制が実行され、さらに、着信側では回線交換にしか対応していない場合でも、発信者からの音声メッセージを、相手側に伝えることができる。相手側は固定電話であってもよいし、ユーザ端末であってもよい。
【０１３４】
説明の便宜上、発明の理解を促すため具体的な数値例を用いて説明されるが、特に断りのない限り、それらの数値は単なる一例に過ぎず適切な如何なる値が使用されてよい。
【０１３５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１３６】
１００１、１００２  ユーザ端末
１０２  入力部
１０４  出力部
１０６  通信制御部
１０８  無線部
１１０  記憶部
１１２  ＣＰＵ
１１２２  規制状態判定部
１１２４  規制状態設定部
１１２６  音声発信判定部
１１２８  音声メッセージ通信制御部
１１３０  データ処理部
１５０  バス
２００１、２００２  基地局
３００１、３００２  ＲＮＣ
４００１、４００２  交換機
５００  ファイルサーバ
５０２  通信部
５０４  ＣＰＵ
５０４２  音声メッセージパケット解析部
５０４４  パケット通信判定部
５０４６  音声メッセージパケット送信制御部
５０４８  データ処理部
５０６  記憶部
５０８  通信制御部
５５０  バス
６００  コアネットワーク
【図１】
0005618927.tif 000002
【図２】
0005618927.tif 000003
【図３】
0005618927.tif 000004
【図４】
0005618927.tif 000005
【図５】
0005618927.tif 000006
【図６】
0005618927.tif 000007
【図７】
0005618927.tif 000008
【図８】
0005618927.tif 000009
【図９】
0005618927.tif 000010
【図１０】
0005618927.tif 000011
【図１１】
0005618927.tif 000012
【図１２】
0005618927.tif 000013
【図１３】
0005618927.tif 000014
【図１４】
0005618927.tif 000015